(57)【特許請求の範囲】
【請求項１】
平面視略Ｔ字状をした乳児用ヘッドキープで、該Ｔ字状の横棒構成部が立ち上がる側面立上がり部を構成し、該側面立上がり部の両端近傍および前記Ｔ字状の縦棒構成部下端近傍にそれぞれ子守帯の一部に係止される係止部を備え、かつ前記Ｔ字状の縦棒構成部がポケット状をなす敷布部とフラップ部を備えた乳児用ヘッドキープにおいて、
前記敷布部が下端で二股に分岐し、該分岐部の双方に互いに係合しあう係合手段が取り付けられたことを特徴とする乳児用ヘッドキープ。
【請求項２】
前記係合手段がファスナーで構成されたことを特徴とする請求項１記載の乳児用ヘッドキープ。
【請求項３】
前記Ｔ字状の縦棒構成部が備える係止部は前記フラップ部のポケット内側部に設けられたことを特徴とする請求項１記載の乳児用ヘッドキープ。
【請求項４】
前記側面立上がり部の両端近傍に備えられる係止部はいずれも、乳児に触れない側の面に設けられたことを特徴とする請求項１記載の乳児用ヘッドキープ。
【請求項５】
背当て部と股当て部と胸当て部とからなる子守帯本体において、請求項１〜４のいずれか１項記載の乳児用ヘッドキープが前記背当て部に取り付けられたことを特徴とする乳児用ヘッドキープ付き子守帯。
【請求項６】
背当て部と股当て部と胸当て部とからなる子守帯本体において、請求項１記載の前記ポケット状をなす敷布部とフラップ部が、前記背当て部を包み込むことにより前記乳児用ヘッドキープが前記背当て部に取り付けられたことを特徴とする乳児用ヘッドキープ付き子守帯。
【請求項７】
前記背当て部と前記股当て部の間にアジャストファスナーが取り付けられたことを特徴とする請求項６記載の乳児用ヘッドキープ付き子守帯。
【請求項８】
前記背当て部の表側面にポケットが設けられ、該ポケットに取り付けられたフラップ用固着具が前記乳児用ヘッドキープ用の固着を兼用することを特徴とする請求項６記載の乳児用ヘッドキープ付き子守帯。
【請求項９】
請求項１記載の乳児用ヘッドキープが前記背当て部に取り付けられた子守帯本体において、前記敷布部の下端で二股に分岐した該分岐部で前記子守帯本体の少なくとも前記股当て部を包み込んだことを特徴とする乳児用ヘッドキープ付き子守帯。
【請求項１０】
請求項２記載の乳児用ヘッドキープが前記背当て部に取り付けられた子守帯本体において、前記敷布部下端の二股に分岐した分岐部で前記子守帯本体の少なくとも前記股当て部を包み込んだあとファスナーで互いに係合させたことを特徴とする乳児用ヘッドキープ付き子守帯。
【発明の詳細な説明】
【０００１】
【発明の属する技術分野】
本発明は、乳幼児を抱っこして歩行する際に用いる子守帯に関し、特に乳児が幼児に成長してもまだ使用することが可能な子守帯に関する。
【０００２】
【従来の技術】
乳幼児を抱っこして歩行するときに用いる子守帯としては、通常、乳児の成長に合わせて乳児用子守帯と幼児用子守帯とに使い分けるのが一般的であった。
▲１▼  すなわち、まだ首の座らない乳児のためには乳児を水平にした状態で運搬するのがよく、そのための子守帯としては、例えば特開平１０−２２５３４３号に記載されたものがある。それによると、子守帯本体に斜め上方に立ち上がった本体と、その両側に帯状部を有するヘッドサポートを設けたベビーキャリアが記載されており、これによって、乳児を安全にかつ乳児にとって快適に運べるようになるものである。
▲２▼  一方、首の座った幼児に使用される子守帯としては、垂直状態で運搬するのが幼児にとって快適であり、そのための子守帯として、例えば、特開平９−２８５１８号には、後頭部から側頭部を支えることの出来る取り外し可能なヘッドサポートを有した子守帯が記載されている。
【０００３】
【発明が解決しようとする課題】
しかしながら、上記▲１▼の乳児用子守帯は乳児が成長して幼児になったときにはもはや使用できないし、また、上記▲２▼の幼児用子守帯を乳児用子守帯として用いるために水平状態で使用しようとしても水平状態で安全に運搬できる部材がないため使用することはできなかった。すなわち、上記の従来の子守帯はいずれも乳児のみか又は幼児のみの単機能的にしか使用することが出来ず、子供の成長にあわせて別の子守帯に取り換える必要があった。
本発明は前記問題点に鑑みてなされたものであり、その目的は、子供が乳児から幼児に成長しても１個の子守帯で済ませることのできる省資源の子守帯でしかも乳幼児にとって安全でかつ快適な子守帯を提供することにある。
【０００４】
【課題を解決するための手段】
上記課題を解決するため、請求項１記載の乳児用ヘッドキープの発明によれば、平面視略Ｔ字状をした乳児用ヘッドキープで、該Ｔ字状の横棒構成部が立ち上がる側面立上がり部を構成し、該側面立上がり部の両端近傍および前記Ｔ字状の縦棒構成部下端近傍にそれぞれ子守帯の一部に係止される係止部を備え、かつ前記Ｔ字状の縦棒構成部がポケット状をなす敷布部とフラップ部を備えた乳児用ヘッドキープにおいて、前記敷布部が下端で二股に分岐し、該分岐部の双方に互いに係合しあう係合手段が取り付けられたことを特徴としている。
以上の構成により、従来の垂直運搬用の幼児用子守帯にこの乳児用ヘッドキープを係止させることにより、従来の幼児用子守帯で乳児を水平状態で安全かつ快適に運搬することが可能となる。また、このポケット状をなす敷布部とフラップ部とで従来の幼児用子守帯の背当て部を包み込むことにより幼児用子守帯に簡単にかつ安全にヘッドキープを係止させることが可能となる。さらに、敷布部のこの分岐部で幼児用子守帯本体の前記股当て部や紐部を内側に包み込むことにより、乳児の内股部に子守帯本体の股当て部や紐部が直に当たらなくなり、代わりにクッション材の入った柔らかな敷布部が当たるため、乳児にとって快適となる。  また、請求項２記載の発明によれば、前記係合手段がファスナーで構成されたことを特徴としている。
以上の構成により、この分岐部で幼児用子守帯本体の股当て部や紐部を包み込む作業が簡単にかつ確実・安全に行なうことが可能となる。
また、請求項３記載の発明によれば、前記Ｔ字状の縦棒構成部が備える係止部は前記フラップ部のポケット内側部に設けられたことを特徴としている。
以上の構成により、ポケット状をなす敷布部とフラップ部とで従来の幼児用子守帯の背当て部を包み込むことによる係止状態を、このポケット内側部に設けられた係止部と幼児用子守帯本体に設けられた係止部とを係止させることにより、さらに外れ難くなる。
また、請求項４記載の発明によれば、前記側面立上がり部の両端近傍に備えられる係止部はいずれも、乳児に触れない側の面に設けられたことを特徴としている。
以上の構成により、係止部は乳児側の面にないため、硬い係止部が乳児にじかに当たらず、クッション材の入った側面立上がり部が当たるようになるため、乳児にとって安全かつ快適となる。
【０００５】
請求項５記載の子守帯の発明によれば、背当て部と股当て部と胸当て部とからなる子守帯本体において、請求項１〜４のいずれか１項記載の乳児用ヘッドキープが前記背当て部に取り付けられたことを特徴としている。
以上のように従来の垂直運搬用の幼児用子守帯にこの乳児用ヘッドキープを係止させたので、従来の幼児用子守帯を乳児用として最初から使用することが可能となる。
また、請求項６記載の発明によれば、背当て部と股当て部と胸当て部とからなる子守帯本体において、請求項１記載の前記ポケット状をなす敷布部とフラップ部が、前記背当て部を包み込むことにより前記乳児用ヘッドキープが前記背当て部に取り付けられたことを特徴としている。
以上の構成により、簡単にかつ安全にヘッドキープを係止させた幼児用子守帯を得ることが可能となる。
また、請求項７記載の発明によれば、前記背当て部と前記股当て部の間にアジャストファスナーが取り付けられたことを特徴としている。
以上の構成により、幼児がさらに成長を遂げてもアジャストファスナーを解くことにより、成長した幼児用として引き続き使用することが可能となる。
また、請求項８記載の発明によれば、前記背当て部の表側面にポケットが設けられ、該ポケットに取り付けられたフラップ用固着具が前記乳児用ヘッドキープ用の固着を兼用することを特徴としている。
以上の構成により、ヘッドキープを幼児用子守帯に簡単にかつ安全に係止させるとともに、固着具の部品点数の削減をすることが可能となる。
また、請求項９記載の発明によれば、請求項１記載の乳児用ヘッドキープが前記背当て部に取り付けられた子守帯本体において、前記敷布部の下端で二股に分岐した該分岐部で前記子守帯本体の少なくとも前記股当て部を包み込んだことを特徴としている。
以上の構成により、乳児の内股部に子守帯本体の股当て部や紐部がじかにあたらないため、乳児にとって快適な子守帯となる。
さらに、請求項１０記載の発明によれば、請求項２記載の乳児用ヘッドキープが前記背当て部に取り付けられた子守帯本体において、前記敷布部下端の二股に分岐した分岐部で前記子守帯本体の少なくとも前記股当て部を包み込んだあとファスナーで互いに係合させたことを特徴としている。
以上の構成により、乳児にとって快適な上記の子守帯を簡単に実現することが可能となる。
【０００６】
【発明の実施の形態】
以下、本発明の実施の形態を図面の図１〜図１９を用いて説明する。
本発明の子守帯は、乳児用の水平状態の運搬と幼児用の垂直状態の運搬との両方に使用できるものである。
【０００７】
本発明による乳児用ヘッドキープ４は、図１および図２に示されるように、平面図で見て概略Ｔ字状をしているそのＴ字状の上部横棒を構成する横棒構成部がほぼ垂直に立ち上がる側面立上がり部４１と、前記Ｔ字状の縦棒構成部とを有するものである。そして、その側面立上がり部４１からは左右にアーム部４２ａ、４２ｂが延びている。アーム部４２ａ、４２ｂの両端近傍４２１ａ、４２１ｂで乳児頭部の触れない側に、係合手段であるフックオス４３ａ、４３ｂが後述の子守帯本体３（図４）のフックメス６３ａ、６３ｂに取り付けるために設けられている。
【０００８】
また、Ｔ字状の縦棒構成部は、乳児が横たわる敷布部４６と、この敷布部４６に重ねられ敷布部よりも面積の小さいフラップ部４９とを有している。そして、敷布部４６とフラップ部４９を重ねたその上部（乳児頭部側）を前記側面立上がり部４１と一体に縫い合わせ、また、その横部の下方と下部は縫い合わせずに自由端とし、全体でポケット状をなしている。このポケット状内部に後述する子守帯本体３（図４）の背当て部３２が挿入されることにより、乳児用ヘッドキープ４が子守帯本体３に取り付けられるようになる。また、敷布部４６の下方では下端部４７ａ、４７ｂが二股に分かれている。
前記フラップ部４９の裏面（すなわち、敷布部４６の側）にはプラスチックホック４９１ａ、４９１ｂや面ファスナー４９２などの固着具が設けられている。これらプラスチックホック４９１ａ、４９１ｂや面ファスナー４９２などの固着具は後述の子守帯本体３（図４）のプラスチックホック７３ａ、７３ｂや面ファスナー７４と係合される。
【０００９】
側面立ち上がり部４１の構成材料は、図３（ａ）の側面立上がり部４１の切断線Ａ−Ａの断面を示す図３（ｂ）からわかるように、乳児に触れる面から外側へ順に、２枚のワッフル地４１０と、厚さ１０ｍｍのウレタン４１１と、厚さ４ｍｍの発泡材４１２と、表生地４１３とが積層されている。発泡材４１２は復元力が高いため、乳児の顔周りの空間を広く保つことができる。
また、敷布部４６から下端部４７ａ、４７ｂまでは、内部に綿が入れられ、ふっくらした構造になっている。そして、下端部４７ａ、４７ｂの両側近傍には、互いに係合しあうファスナー４８ａ、４８ｂが取り付けられている。
【００１０】
本発明に用いられる子守帯本体３は本出願人が先に出願した特開平１０−２０１５８０号記載のものと基本的に同じものである。すなわち、図４および図５で示すように、子守帯本体３は、背当て部３２、股当て部３３、胸当て部３４（図５）とからなる子守帯本体基部３１と、その上端に固定した２本の肩帯部６４ａ、６４ｂと、該肩帯部６４ａ、６４ｂの子守帯本体基部３１への固定部に近い部分に設けられた係合手段であるフックメス６３ａ，６３ｂ（図４、図６）と、該肩帯部６４ａ、６４ｂの各々の下端に係止バックル６１ａ、６１ｂ（図５）を介して接続される調節ベルト６５ａ、６５ｂと、該調節ベルト６５ａ、６５ｂの長さ調節をする子守帯本体基部３１の下端両側面部に設けた係止機能を有する環具６６ａ、６６ｂを有し、環具６６ａ、６６ｂから延びるベルトの先にはウエストバックル６７ａ、６７ｂを有している。
【００１１】
背当て部３２は、乳幼児の背中から頭部にかけて当たる部分であり、略長円形状で内部に芯材が入っている。この背当て部３２の下部には乳幼児の股に当たる股当て部３３が連接されているともに、乳幼児の胸に当たる胸当て部３４（図５）が略長方形状に形成されて、前記股当て部３３に連接されている。これら背当て部３２、股当て部３３、胸当て部３４は綿などの布製によって袋状に形成され、かつ周囲はバイアスで縫製されて、子守帯本体３を構成する。
背当て部３２と胸当て部３４とは、子守帯本体基部３１の一方の側面で固定され、もう一方の側面では凹部（図中、十字部および瓢箪型部）と凸部（図中二重丸部）からなる１対を２対有する頑丈なホック７９ａ、７９ｂ（図５）で開閉自在とされている。
【００１２】
なお、背当て部３２の表側（乳幼児に触れない側）の面にはポケット７２（図４）が設けられている。ポケット７２の表面には前述した乳児用ヘッドキープ４の取り付け時に使用するプラスチックホック７３ａ、７３ｂ（図４）や面ファスナー７４（図４）等の固着具が設けられている。また、ポケット７２のフラップ７３の裏面には、この面ファスナー７４と係合する面ファスナー７５（図４）の固着具が設けられ、乳児用ヘッドキープ４を使用しない時（すなわち、後述の幼児用ヘッドサポートを使用する時）にこの面ファスナー７４と面ファスナー７５とが係合してフラップ７３でポケット７２のふたをする構成となる。
【００１３】
更に、背当て部３２の上部には挿通部３２１がこの背当て部３２内部を左右に横切って設けられ、この挿通部３２１に幼児用ヘッドサポート５（図１９）が背当て部３２の上部の挿通部３２１に取り付けられる構成になっている。
この幼児用ヘッドサポート５は幼児の頭部を補助的に支えるものである。幼児用ヘッドサポート５は布製であり、図１９に示すように帯状の形態を呈している。図１９（ａ）はヘッドサポートの表側面（すなわち、頭部の触れない外側面）、図１９（ｂ）は裏側面（すなわち、頭部が触れる内側面）であり、図１９（ｃ）は図１９（ａ）のヘッドサポート５を上から見た図である。図において、頭部が支持される中心部５１からアーム部５２ａ、５２ｂから両端部に向かうに従って若干細幅とされ、両端近傍に（しかも頭部の触れない面に）係合手段であるフックオス５３ａ、５３ｂを有している。
この幼児用ヘッドサポート５を子守帯本体基部３１に取り付けるには、背当て部３２の内側上部に形成した前記挿通部３２１にこの幼児用ヘッドサポート５を通して、ヘッドサポート５両端に設けられたフックオス５３ａ、５３ｂを肩帯部６４ａ、６４ｂの上部に設けたフックメス６３ａ、６３ｂ（図４、図６）に係合させれば、幼児用ヘッドサポート５付き子守帯２ができあがる（図１４（ｂ）参照。）。
【００１４】
また、子守帯本体基部３１の背当て部３２と股当て部３３の間にはアジャストファスナー７８（図４）が取り付けられており、乳幼児の体型に合わせてアジャストファスナー７８を開閉して互いに係合状態を解くことによって子守帯本体基部３１の深さを２段階に調整できるようになっている。すなわち、股の小さい子の場合には図１４（ａ）のＡのようにアジャストファスナー７８を閉じ、ある程度股が大きくなったら図１４（ｂ）のＡ’のようにアジャストファスナー７８を開いた後互いに係合状態を解いて深さを深くして使用する（Ａ’の点線は股当て部３３の布が延びた状態を示している。）。
又、背当て部３２から胸当て部３４にかけての外側に、バックル７７ａ、７７ｂ（図４）を備えた安全帯７６ａ、７６ｂを有している。この安全帯７６ａ、７６ｂの長さを調節することによって、乳幼児の胴回りの調節をする。すなわち、乳児の場合には図１４（ａ）のＢのように、安全帯７６ａ、７６ｂを短くして使用し（Ｂの実線は背当て部３２の布が皺寄っている状態を示している。）、また、幼児になったら図１４（ｂ）のＢ’のように、安全帯７６ａ、７６ｂを長くして使用する（Ｂ’の点線は背当て部３２の布が延びた状態を示している。）
【００１５】
次に、この子守帯２の使用方法について説明する。
子守帯本体基部３１に幼児用ヘッドサポート５を装着し、前抱き（抱っこ）の場合には、調節ベルト６５ａ、６５ｂの係止バックル６１ａ、６１ｂ側を環具６６ａ、６６ｂによって長くし、子守帯本体基部３１内に幼児を入れて、そのサイドのホック７９ａ、７９ｂをとめて、更に、左右のバランスよく安全帯７６をしめ、左右の肩帯部６４ａ、６４ｂを掛け、係止バックル６１ａ、６１ｂをとめ、調節ベルト６５ａ、６５ｂを適度な長さにセットする。そして、幼児用ヘッドサポート５の端部のフックオス５３ａ、５３ｂを肩帯部６４ａ、６４ｂの子守帯本体基部３１固定部に近い部分に設けられたフックメス６３ａ，６３ｂとを係合する。
【００１６】
幼児用ヘッドサポート５を子守帯本体基部３１に装着し、背負う（おんぶ）場合には、調節ベルト６５ａ、６５ｂの係止バックル６１ａ、６１ｂ側を短めに仮調整した上で、幼児を子守帯本体基部３１に入れ、その際、更に、安全帯７６をしめて左右をバランスよく調整する。そして、幼児用ヘッドサポート５の端部のフックオス５３ａ、５３ｂを肩帯部６４ａ、６４ｂの子守帯本体基部３１固定部に近い部分に設けられたフックメス６３ａ、６３ｂとを係合する。このような状態の子守帯本体基部３１を使用者が背負い、左右の調節ベルト６５ａ、６５ｂを適度な長さにセットし、それを左右より腰に巻いてその自由端のウエストバックル６７ａ、６７ｂを止めて整える。
【００１７】
次に、子守帯本体基部３１に、幼児用ヘッドサポート５ではなくて、乳児用ヘッドキープ４を取り付けて使用する使用方法について説明する。
▲１▼  まず、図６のヘッドサポート５の両端に設けられたフックオス５３ａ、５３ｂ（図示なし）を肩帯部６４ａ、６４ｂの上部に設けたフックメス６３ａ、６３ｂから外して、ヘッドサポート５を本体基部３１の挿通部３２１から抜いてヘッドサポート５を子守帯本体基部３１から取り外す。
▲２▼  本体基部３１の背当て部３２上方に、本発明のヘッドキープ４（図２）を持ってゆく（図８）。
▲３▼  ヘッドキープ４を上から本体基部３１の背当て部３２上方に向けて下ろしてゆく（図９）。このとき、敷布部４６は背当て部３２の内側（すなわち、乳児に触れる側）に入る。
▲４▼  そのまま下げてゆき、フラップ部４９は背当て部３２の外側（すなわち、乳児の外側）に出す。これによって、敷布部４６とフラップ部４９との間の成すポケット部に背当て部３２が挿入される（図１０）。
▲５▼  背当て部３２が敷布部４６とフラップ部４９の間のポケット部に挿入されてゆくと、最終的に背当て部３２の上端がポケット状部分の上端縫い目に当接して、それ以上の挿入ができなくなくなり、子守帯本体３とヘッドキープ４とが固定される（図１１）。
▲６▼  次いで、図２に示した乳児用ヘッドキープ４に設けたプラスチックホック４９１ａ、４９１ｂと面ファスナー４９２の固着具を、図４の本体ポケット７２のフラップ７３の裏面に設けたプラスチックホック７３ａ、７３ｂと面ファスナー７５と互いに固着させると、子守帯本体３とヘッドキープ４との固定がより強固なものとなる（図１３参照。）。
▲７▼  さらに、ヘッドキープ４の下端部４７ａ、４７ｂ（図１、図２）を図１５のように股当て部３３の両側から出し、図１６に示すように股当て部３３をはじめ調節ベルト６５ａ、６５ｂ等の乳児の足に当たる部分を下端部４７ａ、４７ｂで包んでファスナー８ａ、８ｂで閉じる。
▲８▼  そして、乳児用ヘッドキープ４のアーム部４２１ａ、４２１ｂに設けられた係合手段であるフックオス４３ａ、４３ｂと、子守帯本体基部３１の肩帯部６４ａ，６４ｂに設けられたメスフック６３ａ，６３ｂとを係合させると、乳児用ヘッドキープ４の子守帯本体３への固定が完了する。（図１２、図１３）。
▲９▼  この中に乳児が水平に収容され、母親によって安全かつ快適に運搬される様子が図１４（ａ）に示されている。
【００１８】
また、子供が成長し、首が座るようになれば、乳児用ヘッドキープ４を幼児用ヘッドサポート５と付け替えることによって、垂直運搬タイプとして引き続き使用することができる。この様子が図１４（ｂ）に示されている。
乳児用ヘッドキープ４を幼児用ヘッドサポート５に付け替えるには、前述と逆の手順で行えばよい。すなわち、乳児用ヘッドキープ４を取り外し、背当て部３２の上部に形成された挿通部３２１に幼児用ヘッドサポート５を通し、幼児用ヘッドサポート５両端に設けられた係合手段であるフックオス５３ａ，５３ｂを、本体肩帯部に設けられた、同じく係合手段であるメスフック６３ａ，６３ｂとを係合させる。この場合、前述した本体基部３１の背当て部３２と股当て部３３の間に設けられたアジャストファスナー７８を開閉することによって子守帯本体基部３１の深さを２段階に調整できる。
【００１９】
なお、上述した実施の形態において、乳児用ヘッドキープ４の下端部４７ａ、４７ｂに取り付けられたファスナー４８ａ、４８ｂは一対であるが、一対に限定されるものではなく、図１７に示すように、何本か平行に取り付け、使用時にこれら複数のファスナー中から取り付けるファスナーを適宜選択することにより、下端部での絞り具合を調節することができる。
また、上述した実施の形態において、乳児用ヘッドキープ４に設けられたフックオス４３ａ、４３ｂはそれぞれひとつずつ設けたが、図１７に示すように、複数個設けて、適宜選択することにより、位置調節ができるようになる。
同様に、子守帯本体３のフックメス６３ａ、６３ｂについても上述した実施の形態においてはそれぞれひとつずつ設けたが、図示しないが複数個設けて、適宜選択することにより、位置調節ができるようになる。
【００２０】
横抱きにする場合には、肩帯部６４ａ、６４ｂを一体にした方が使い勝手が良いので、クリップ等の挟持部材を使って一体にして使用するようにしても良い。横抱きにする場合には、乳児を水平にすることが望ましいが、左右の肩帯部６４ａ、６４ｂが同じ長さであると、どうしても乳幼児が載置される部分が傾いてしまう。一方で、これは左右の肩帯部６４ａ、６４ｂの長さを又はこの肩帯部６４ａ、６４ｂに係止バックル６１ａ、６１ｂを介して連接される調節ベルト６５ａ、６５ｂの長さを変えることにより載置する子守帯本体を水平にすることができるので、肩帯部６４ａ、６４ｂ又は調節ベルト６５ａ、６５ｂに目盛り（図４、Ｃ参照）をつけて覚えておくことにより、横抱きから縦抱きにする場合の肩帯部６４ａ、６４ｂの調節を容易に行うことができる。
フックオス４３ａ、４３ｂ、フックメス６３ａ、６３ｂといった部材が子供を抱きしめた際に乳幼児に対して外側に位置しているため、乳幼児がこれらに当たるといったことを防止できる。また、下端部４７ａ、４７ｂで絞ることにより、幅を広くすることができ、使用者である母親と乳児の股当部の間隔が広がるので、乳児の「もも、「ひざ」にかかる負担が軽減される。
図１２からわかるように、この子守帯の背中側において、肩帯部６３ａ、６４ｂはクロスせずに平行となっているので、縦抱き使用時と横抱き使用時との調節が不要である。
上記実施の形態においては、子守帯本体は片側にのみホック７９ａ、７９ｂ（図５）を設けているが、子守帯本体の両側をホック７９ａ、７９ｂで着脱可能とすることにより、乳児を子守帯に入れやすくなる。
【００２１】
図１８には乳児用ヘッドキープの異なる実施の形態が示されている。
股当て部３３の素材等が柔らかいもので、股ずれ等が生じるおそれのない素材であれば、乳児用ヘッドキープの図１に示した下端部４７ａ、４７ｂを省略することができ、図１８に示したような下端部省略タイプのものであってもよい。使い方としては前述した段落〔００１７〕の▲７▼以外は、まったく同じである。
【００２２】
【発明の効果】
以上のように、本発明は、ヘッドサポートを取り替えることによって、子供の成長にあわせ、乳児から幼児の長期間にわたって使用することの出来る子守帯を提供することができる。
子守帯本体基部の背当て部には芯材が入っているため、乳児の背中が湾曲したり、無理な力が加わるのを防ぐことができる。
乳児用ヘッドキープの側面立上がり部には復元力の高い発泡材を使用しているため、乳児の顔周りの空間を広く保つことができるとともに、側面立上がり部が敷布部からほぼ垂直に立ち上がっているため、乳児が下方や側方に脱落するのを防止することができる。
また、敷布部の下端部で調節ベルト等をくるんで取り付けるため、乳児の股部分がすれるのを防ぐことができる。
さらに、子守帯本体基部の背当て部と股当て部の間にはアジャストファスナーが取り付けられており、幼児の体型に合わせ、アジャストファスナーの開閉によって子守帯本体基部の深さを２段階に調整できる。
さらに、ヘッドキープにかえ、ヘッドサポートを使用した場合、従来と同じく、首の座った状態の幼児の頭部を側方まで良好に保持することができる。
【図面の簡単な説明】
【図１】  本発明の乳児用ヘッドキープの斜視図である。
【図２】乳児用ヘッドキープの表側面（すなわち、乳児に触れない側の面）の正面図である。
【図３】（ａ）は乳児用ヘッドキープの側面立上がり部の部分拡大斜視図、（ｂ）は（ａ）中のＡ−Ａ断面図である。
【図４】本出願人による先行発明の子守帯本体基部の正面図（すなわち、母親から見て反対面）である。
【図５】子守帯本体基部の裏面図（すなわち、母親に触れる面）である。
【図６】図４および図５の子守帯本体基部に図１９の帯状ヘッドサポートを取り付けた幼児用子守帯の斜視図（ただし、母親側から見た側面面）である。
【図７】図６の幼児用子守帯の斜視図（ただし、母親の反対側から見た側面面）である。
【図８】図４および図５に示した子守帯本体基部の上へ、図１〜図３に示した本発明の乳児用ヘッドキープを取り付ける手順を説明する図で、まず取り付け初期状態を示す第１段階図である。
【図９】図８に続く第２段階の手順説明図である。
【図１０】図９に続く第３段階の手順説明図である。
【図１１】図１０に続く最終状態の説明図である。
【図１２】図１０の状態の乳児用ヘッドキープ付き子守帯の斜視図（ただし、母親側から見た側面）である。
【図１３】図１０の状態の乳児用ヘッドキープ付き子守帯の斜視図（ただし、母親の反対側から見た側面）である。
【図１４】本発明による子守帯を使用する母親と母親に運搬される乳幼児の位置関係を説明する斜視図である。
【図１５】乳児用ヘッドキープの敷布部下端の二股分岐部で子守帯本体基部の少なくとも股当て部を包み込む前の状態を示す斜視図である。
【図１６】図１５の包み込み動作が行われたあとファスナーで互いに係合させた状態を示す斜視図である。
【図１７】図２の乳児用ヘッドキープの変形例の正面図である。
【図１８】本発明のヘッドキープの第２の実施形態を示す正面図である。
【図１９】従来公知のヘッドサポートであり、（ａ）は表側面（すなわち、乳児に触れない側の面）、（ｂ）は裏側面（すなわち、乳児に触れる面）、（ｃ）は図１９ａのヘッドサポート５を上から見た図である。
【符号の説明】
１．乳児用ヘッドキープ付き子守帯
２．幼児用ヘッドサポート付き子守帯
３．子守帯本体
３１．子守帯本体基部
３２．背当て部
３２１．挿通部
３３．股当て部
３４．胸当て部
４．乳児用ヘッドキープ
４１．側面立上がり部
４１０．ワッフル生地
４１１．ウレタン
４１２．発泡材
４１３．表生地
４２ａ、４２ｂ．アーム部
４３ａ、４３ｂ．フックオス
４６．敷布部
４７ａ、４７ｂ．敷布部の下端部
４８ａ、４８ｂ．ファスナー
４９．フラップ部
４９１ａ、４９１ｂ．プラスチックホック
４９２．面ファスナー
５．幼児用ヘッドキープ
５２ａ、５２ｂ．アーム部
５３ａ、５３ｂ．フックオス
６１ａ、６１ｂ．係止バックル
６３ａ、６３ｂ．フックメス
６４ａ、６４ｂ．肩帯部
６５ａ、６５ｂ．調節ベルト
６６ａ、６６ｂ．環具
６７ａ、６７ｂ．ウエストバックル
７２．ポケット
７３．ポケットのフラップ
７３ａ、７３ｂ．プラスチックホック
７４、７５．面ファスナー
７６ａ、７６ｂ．安全帯
７７ａ、７７ｂ．バックル
７８．アジャストファスナー
７９ａ、７９ｂ．ホック
【図１】
0004233167.tif 000002
【図２】
0004233167.tif 000003
【図３】
0004233167.tif 000004
【図４】
0004233167.tif 000005
【図５】
0004233167.tif 000006
【図６】
0004233167.tif 000007
【図７】
0004233167.tif 000008
【図８】
0004233167.tif 000009
【図９】
0004233167.tif 000010
【図１０】
0004233167.tif 000011
【図１１】
0004233167.tif 000012
【図１２】
0004233167.tif 000013
【図１３】
0004233167.tif 000014
【図１４】
0004233167.tif 000015
【図１５】
0004233167.tif 000016
【図１６】
0004233167.tif 000017
【図１７】
0004233167.tif 000018
【図１８】
0004233167.tif 000019
【図１９】
0004233167.tif 000020